(57)【要約】【課題】記憶部を効率よく使用するとともに、広告画面の作成処理の負荷を軽減させる。【解決手段】顧客識別情報に関連付けて広告画面情報を記憶する広告実施情報５５と、自動取引装置２から顧客識別情報を受け、該顧客識別情報に基づいて広告実施情報５５から抽出した広告画面情報を自動取引装置２に送信するＷｅｂサーバ３と、Ｗｅｂサーバ３により広告画面情報を自動取引装置２に送信して広告画面を表示した履歴情報を顧客識別情報と関連付けて記憶する広告表示履歴情報５４と、広告画面を表示する顧客を限定する条件を記憶する広告表示対象者条件５６と、広告表示対象者条件５６に基づいて広告表示履歴情報５４を検索して広告表示対象者条件５６を満たす顧客識別情報を広告表示履歴情報５４から抽出し、抽出した顧客識別情報に基づいて作成した広告画面情報のみを広告実施情報５５に記憶させるＤＢサーバ５とを備えた。【選択図】        図１
2013114423.tif 000002
【特許請求の範囲】
【請求項１】
顧客が操作する自動取引装置に広告画面を表示する広告画面表示システムにおいて、
顧客識別情報に関連付けて広告画面情報を記憶する広告実施情報記憶手段と、
自動取引装置から顧客識別情報を受け、該顧客識別情報に基づいて前記広告実施情報記憶手段から抽出した前記広告画面情報を前記自動取引装置に送信する送信手段と、
前記送信手段により前記広告画面情報を前記自動取引装置に送信して広告画面を表示した履歴情報を前記顧客識別情報と関連付けて記憶する履歴情報記憶手段と、
広告画面を表示する顧客を限定する条件を記憶する条件情報記憶手段と、
前記条件に基づいて前記履歴情報記憶手段を検索して前記条件を満たす顧客識別情報を前記履歴情報記憶手段から抽出し、抽出した前記顧客識別情報に基づいて作成した広告画面情報のみを前記広告実施情報記憶手段に記憶させる広告実施情報作成手段とを備えたことを特徴とする広告画面表示システム。
【請求項２】
請求項１に記載の広告画面表示システムにおいて、
前記履歴情報記憶手段は、広告画面表示日時を前記顧客識別情報と関連付けた前記履歴情報を記憶し、
前記条件情報記憶手段は、前記広告画面表示日時および前記顧客識別情報から広告画面を表示する顧客を限定する条件を記憶することを特徴とする広告画面表示システム。
【請求項３】
請求項１または請求項２に記載の広告画面表示システムにおいて、
前記顧客識別情報は、顧客ＩＤおよび口座番号のいずれかひとつを含むことを特徴とする広告画面表示システム。
【請求項４】
請求項１から請求項３のいずれか１項に記載の広告画面表示システムにおいて、
前記送信手段を、前記自動取引装置と通信回線で接続されたＷｅｂサーバに備え、
前記広告実施情報記憶手段、前記履歴情報記憶手段、前記条件情報記憶手段および前記広告実施情報作成手段を、前記Ｗｅｂサーバと通信回線で接続されたデータベースサーバに備え、
前記条件情報記憶手段に記憶される条件は、前記Ｗｅｂサーバと通信回線で接続された登録用端末により入力されることを特徴とする広告画面表示システム。
【発明の詳細な説明】
【技術分野】
【０００１】
本発明は、自動取引装置の表示部に広告画面を表示する広告画面表示システムに関する。
【背景技術】
【０００２】
従来の広告画面表示システムは、金融機関等に設置される自動取引装置を利用する各顧客の氏名、口座番号、暗証番号、口座残高、取引履歴、家族状況、年収等の各情報を顧客情報として格納した顧客データベース、及び対象顧客に対する広告画面を格納した広告画面データベースを備え、顧客データベースに格納された顧客が保有するすべての口座に対して広告画面を作成し、広告画面データベースに格納するようにしていた（例えば、特許文献１参照）。
【先行技術文献】
【特許文献】
【０００３】
【特許文献１】特開２００７−７９７１３号公報（段落「００１０」〜段落「００１２」、図１）
【発明の概要】
【発明が解決しようとする課題】
【０００４】
しかしながら、上述した従来の技術においては、顧客が保有するすべての口座に対して広告画面を作成し、広告画面データベースに格納するようにしているため、長期間にわたり利用されていない口座に対しても広告画面が作成され、ディスク等の記憶部の容量が不足してしまうとともに、広告画面の作成処理に負荷がかかってしまうという問題がある。
本発明は、このような問題を解決することを課題とし、記憶部を効率よく使用するとともに、広告画面の作成処理の負荷を軽減させることを目的とする。
【課題を解決するための手段】
【０００５】
そのため、本発明は、顧客が操作する自動取引装置に広告画面を表示する広告画面表示システムにおいて、顧客識別情報に関連付けて広告画面情報を記憶する広告実施情報記憶手段と、自動取引装置から顧客識別情報を受け、該顧客識別情報に基づいて前記広告実施情報記憶手段から抽出した前記広告画面情報を前記自動取引装置に送信する送信手段と、前記送信手段により前記広告画面情報を前記自動取引装置に送信して広告画面を表示した履歴情報を前記顧客識別情報と関連付けて記憶する履歴情報記憶手段と、広告画面を表示する顧客を限定する条件を記憶する条件情報記憶手段と、前記条件に基づいて前記履歴情報記憶手段を検索して前記条件を満たす顧客識別情報を前記履歴情報記憶手段から抽出し、抽出した前記顧客識別情報に基づいて作成した広告画面情報のみを前記広告実施情報記憶手段に記憶させる広告実施情報作成手段とを備えたことを特徴とする。
【発明の効果】
【０００６】
このようにした本発明は、記憶部を効率よく使用するとともに、広告画面の作成処理の負荷を軽減させることができるという効果が得られる。
【図面の簡単な説明】
【０００７】
【図１】実施例における広告画面表示システムの構成を示すブロック図
【図２】実施例における自動取引装置の構成を示すブロック図
【図３】実施例における広告情報の構成を示すブロック図
【図４】実施例における顧客情報の構成を示すブロック図
【図５】実施例における対象顧客情報の構成を示すブロック図
【図６】実施例における広告表示履歴情報の構成を示すブロック図
【図７】実施例における広告実施情報の構成を示すブロック図
【図８】実施例における広告表示処理を示すフローチャート
【図９】実施例における広告実施情報作成処理を示すフローチャート
【発明を実施するための形態】
【０００８】
以下、図面を参照して本発明による広告画面表示システムの実施例を説明する。
【実施例】
【０００９】
図１は実施例における広告画面表示システムの構成を示すブロック図である。
図１において、１は顧客が操作する自動取引装置に広告画面を表示する広告画面表示システムであり、２は金融機関の営業店等に設置された現金自動預払機等の自動取引装置、３は広告センタ等に設置されたＷｅｂサーバ（Ｃｈａｎｎｅｌ  Ｎａｖｉｇａｔｏｒ−Ｗｅｂサーバ）、４は広告情報を登録するためのパーソナルコンピュータ等の登録用端末、５は広告センタ等に設置されたＤＢサーバ（Ｃｈａｎｎｅｌ  Ｎａｖｉｇａｔｏｒ  ＤａｔｅＢａｓｅサーバ）である。
【００１０】
自動取引装置２とＷｅｂサーバ３とは、公衆回線等の通信回線６を介して相互に接続されており、またＷｅｂサーバ３は、登録用端末４およびＤＢサーバ５と専用線等の通信回線を介して接続されている。
自動取引装置２は、銀行等の金融機関の店舗またはコンビニエンスストア等の店舗や空港、駅等に設置されるものである。この自動取引装置２は顧客の操作を受付け、通信回線６を介して通信可能に接続された図示しない上位装置から取引の許可を受信して現金引出しや現金入金、キャッシング等の取引を行うものである。なお、自動取引装置２の詳細は後述する。
【００１１】
Ｗｅｂ（配信）サーバ３は、自動取引装置２から顧客識別情報を受け、その顧客識別情報に基づいて後述する広告実施情報５５から抽出した広告画面情報を自動取引装置２に送信する送信手段として、自動取引装置２を操作する顧客に対して提供する広告画面情報をＤＢサーバ５から抽出し、自動取引装置２へ配信する。また、Ｗｅｂサーバ３は、登録用端末４から顧客に対して提供する広告に関する情報や条件を受信し、その情報や条件に基づいてＤＢサーバ５に格納される各種情報の作成や更新を行う。
【００１２】
登録用端末４は、キーボードやマウス等の入力手段、ディスプレイ等の表示手段、メモリやディスク等の記憶手段等を備えたパーソナルコンピュータ等であり、オペレータの操作により、顧客に対して提供する広告に関する情報や条件を入力手段や記憶手段から入力し、Ｗｅｂサーバ３へ送信する。
【００１３】
ＤＢサーバ５は、データベースとして広告情報５１、顧客情報５２、対象顧客情報５３、Ｗｅｂサーバ３により広告画面情報を自動取引装置２に送信して広告画面を表示した履歴情報を顧客識別情報と関連付けて記憶する履歴情報記憶手段としての広告表示履歴情報５４、顧客識別情報に関連付けて広告画面情報を記憶する広告実施情報記憶手段としての広告実施情報５５、および広告画面を表示する顧客を限定する条件を記憶する条件情報記憶手段としての広告表示対象者条件情報５６を備えている。
【００１４】
ここで、広告表示対象者条件情報５６に記憶する条件は、顧客に広告を提供するか否かを判定するための広告表示対象者条件である。また、広告情報５１、顧客情報５２、対象顧客情報５３、広告表示履歴情報５４、および広告実施情報５５の詳細は後述する。
さらに、ＤＢサーバ５は、広告表示対象者条件に基づいて履歴情報記憶手段を検索して広告表示対象者条件を満たす顧客識別情報を履歴情報記憶手段から抽出し、抽出した顧客識別情報に基づいて作成した広告画面情報のみを広告実施情報記憶手段に記憶させる広告実施情報作成手段としての機能を有する。
【００１５】
なお、Ｗｅｂサーバ３、登録用端末４およびＤＢサーバ５は、ＣＰＵ（Ｃｅｎｔｒａｌ  Ｐｒｏｃｅｓｓｉｎｇ  Ｕｎｉｔ）等の制御手段、メモリやディスク等の記憶手段を備え、記憶手段に記憶された制御プログラム（ソフトウェア）に基づいて制御手段により装置全体の動作が制御される。また、Ｗｅｂサーバ３は、時計機能およびカレンダー機能を有する計時手段を備えている。
【００１６】
図２は実施例における自動取引装置の構成を示すブロック図である。
図２において、２１は顧客操作表示部であり、タッチパネル等の操作部および液晶ディスプレイ等の表示部で構成されたものである。この顧客操作表示部２１はＣＲＴディスプレイや液晶ディスプレイ等の表示部上にタッチパネルを配置し顧客が行う入力操作等を検知するものであり、また、取引選択画面、顧客が選択した取引に対して顧客の入力操作等の誘導を行う画面および入力された情報等を表示するものである。
また、顧客操作表示部２１で検知した入力操作等は後述する制御部に信号を出力して通知する。
【００１７】
２２はカード部であり、カード読取り書込み機構およびカード搬送機構等を備えたものである。このカード部２２は、ＩＣカードリードライト機構および磁気カードリードライト機構等で構成され、顧客の操作によりカード挿入返却口に挿入されたカードのＩＣチップまたは磁気ストライプに記録された情報を読取り、また任意の情報を記録することができるようになっている。
さらに、このカード挿入返却口にはカードの挿入を検知する機構およびカードの受取りを検知する機構が設けられ、情報の読取りまたは書込みが終了したカードはカード挿入返却口から排出して顧客に返却することができるようになっている。
【００１８】
また、カード部２２は明細票搬送機構および明細票印字機構を備え、顧客の操作により行なった取引内容等を明細票印字機構で明細票に印刷し、その明細票を明細票搬送機構で明細票排出口から排出して顧客に発行することができるようになっている。
なお、カードのＩＣチップまたは磁気ストライプには口座番号等の顧客が有する口座を識別するための口座情報が記録されているものとする。
【００１９】
２３は入出金部であり、紙幣入出金機および硬貨入出金機で構成されたものである。この入出金部２３は現金引出し取引や現金入金取引に伴う紙幣や硬貨の入出金処理を行う。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００２０】
この入出金口には挿入された紙幣ならびに硬貨を検知する機構および搬送された紙幣ならびに硬貨の受取りを検知する機構が設けられている。
なお、入出金部２３は紙幣入出金機および硬貨入出金機で構成されたものに限られることなく、紙幣入出金機のみで構成されたものであってもよい。
【００２１】
２４は記憶部であり、半導体メモリや磁気ディスク等で構成され情報を記憶し、その記憶した情報を読取ることができるものである。この記憶部２４には自動取引装置２全体の動作を制御する制御プログラム（ソフトウェア）、顧客操作表示部２１に表示する画面データおよび顧客が行う取引に必要な情報等を記憶する。
【００２２】
２５は制御部であり、ＣＰＵ等の演算および制御手段等で構成されたものである。この制御部２５は顧客操作表示部２１、カード部２２、入出金部２３、記憶部２４、およびＷｅｂサーバ３や上位装置等との間の通信の制御を行う図示しない通信部を含めて自動取引装置２全体の動作を記憶部２４に格納された制御プログラム（ソフトウェア）に基づいて制御する。なお、制御部２５は日時や時刻等を計測する手段であるカレンダーおよび時計機能等も有している。
このように、自動取引装置２は、顧客操作表示部２１、カード部２２、入出金部２３、記憶部２４および制御部２５を備えている。
【００２３】
次に、図１に示すＤＢサーバ５が記憶する広告情報５１、顧客情報５２、対象顧客情報５３、広告表示履歴情報５４、および広告実施情報５５の構成を図３の実施例における広告情報の構成を示すブロック図、図４の実施例における顧客情報の構成を示すブロック図、図５の実施例における対象顧客情報の構成を示すブロック図、図６は実施例における広告表示履歴情報の構成を示すブロック図、図７の実施例における広告実施情報の構成を示すブロック図に基づいて説明する。
【００２４】
図３において、広告情報５１は、登録されている広告の情報であり、例えば広告ＩＤ（ＩＤｅｎｔｉｆｉｃａｔｉｏｎ）５１１、ファイル種別５１２、レイアウト種別５１３およびファイルパス５１４等で構成されている。
広告ＩＤ５１１は、登録されている広告の情報を識別するための広告識別情報であり、この広告ＩＤ５１１に関連付けられてファイル種別５１２、レイアウト種別５１３およびファイルパス５１４等が記憶されている。
【００２５】
ファイル種別５１２は、当該広告の画像情報を記録したファイルの形式を表し、例えばファイルの形式がＧＩＦ（Ｇｒａｐｈｉｃｓ  Ｉｎｔｅｒｃｈａｎｇｅ  Ｆｏｒｍａｔ）形式の場合は「ＧＩＦ」、ＪＰＥＧ（Ｊｏｉｎｔ  Ｐｈｏｔｏｇｒａｐｈｉｃ  Ｅｘｐｅｒｔ  Ｇｒｏｕｐ）形式の場合は「ＪＰＧ」と表すものとする。
レイアウト種別５１３は、当該広告の画像情報を表示する画面上の位置や大きさの情報である。
ファイルパス５１４は、当該広告の画像情報が記録されたファイルの所在を表す情報である。
【００２６】
図４において、顧客情報５２は、本広告画面表示システム、すなわち自動取引装置を利用する顧客に関する情報および当該顧客が保有する口座に関する情報であり、顧客ＩＤ（ＩＤｅｎｔｉｆｉｃａｔｉｏｎ）５２１、氏名５２２、住所５２３および口座番号５２４等で構成されている。
顧客ＩＤ５２１は、顧客を識別するための顧客識別情報であり、この顧客ＩＤ５２１に関連付けられて氏名５２２、住所５２３および口座番号５２４等が記憶されている。
氏名５２２は、当該顧客の氏名であり、住所５２３は、当該顧客の住所である。また、口座番号５２４は、当該顧客が金融機関等に開設した口座を識別するための口座識別情報である。
【００２７】
なお、顧客ＩＤは顧客を識別するための顧客識別情報、口座番号は顧客が金融機関等に開設した口座を識別するための口座識別情報であり、一人の顧客が複数の口座を保有している場合、ひとつの顧客ＩＤに対して複数の口座番号が対応付けられることはあるが、一つの口座番号に複数の顧客ＩＤが対応付けられることはないため、顧客ＩＤと口座番号は、どちらも顧客を識別するための顧客識別情報である。したがって、本実施例において、顧客識別情報は、顧客ＩＤおよび口座番号のいずれかひとつを含むものである。
【００２８】
図５において、対象顧客情報５３は、図３に示す広告ＩＤ５１１を図４に示す顧客情報５２の任意の条件で抽出し、抽出した広告ＩＤと顧客ＩＤとを関連付けて記憶する情報であり、広告ＩＤ５３１および顧客ＩＤ５３２等で構成されている。
広告ＩＤ５３１は、図３に示す広告ＩＤ５１１と同じものであり、顧客ＩＤ５３２は、図４に示す顧客ＩＤ５２１と同じものである。
この対象顧客情報５３は、顧客ＩＤに基づいて顧客ＩＤ５３２を検索し、一致した顧客ＩＤ５３２に関連付けられた広告ＩＤ５１１を抽出することができるようになっており、それにより、顧客に提供する広告情報を事前に登録することができるようになっている。
【００２９】
図６において、広告表示履歴情報５４は、顧客が操作する自動取引装置の顧客操作表示部に広告を表示した際に記録した履歴情報であり、広告ＩＤ５４１、顧客ＩＤ５４２、口座番号５４３および広告表示日時５４４等により構成されている。
広告ＩＤ５４１は、図３に示す広告ＩＤ５１１および図５に示す広告ＩＤ５３１と同じものであり、顧客ＩＤ５４２は、図４に示す顧客ＩＤ５２１および図５に示す顧客ＩＤ５３２と同じものであり、また口座番号５４３は図４に示す口座番号５２４と同じものである。
【００３０】
広告表示日時５４４は、自動取引装置の顧客操作表示部に広告を表示した日時であり、広告を表示した年月日時分等を履歴情報として記憶するものである。
この広告表示履歴情報５４は、広告表示日時５４４に関連付けて自動取引装置の顧客操作表示部に表示した広告の履歴情報として広告ＩＤ５４１、顧客ＩＤ５４２、および口座番号５４３を記憶する。
【００３１】
図７において、広告実施情報５５は、自動取引装置を操作する顧客に対して提供する広告に関する情報を記憶するものであり、広告ＩＤ５５１、顧客ＩＤ５５２、口座番号５５３、氏名５５４、および住所５５５等により構成されている。
広告ＩＤ５５１は、図３に示す広告ＩＤ５１１、図５に示す広告ＩＤ５３１および図６に示す広告ＩＤ５４１と同じものであり、顧客ＩＤ５５２は、図４に示す顧客ＩＤ５２１、図５に示す顧客ＩＤ５３２および図６に示す顧客ＩＤ５４２と同じものであり、また口座番号５５３は図４に示す口座番号５２４および図６に示す口座番号５４３と同じものである。
【００３２】
氏名５５４は、図４に示す氏名５２２と同じものであり、住所５５５は、図４に示す住所５２３と同じものである。
広告情報５１および対象顧客情報５３は、図１に示す登録用端末４のキーボードやマウス等の操作手段またはファイル等が記憶された記憶手段から入力され、Ｗｅｂサーバ３を介してＤＢサーバ５により作成される。
また、顧客情報５２は、図示しない情報系のホストコンピュータやサーバ等により作成され、広告表示履歴情報５４は、図１に示すＷｅｂサーバ３が広告ＩＤ５４１等に対応した広告画面情報を自動取引装置２へ配信したときに、Ｗｅｂサーバ３により履歴情報として作成される。
【００３３】
さらに、広告実施情報５５は、図１に示す登録用端末４から入力された条件を、Ｗｅｂサーバ３を介して受信したＤＢサーバ５により、その条件にしたがって作成される。このとき、ＤＢサーバ５は、受信した条件に基づいて広告表示履歴情報５４を検索して広告を提供する顧客ＩＤを抽出し、抽出した顧客ＩＤに関連付けられた広告ＩＤ、口座番号、氏名、住所等を顧客情報５２および対象顧客情報５３から抽出して作成する。
【００３４】
上述した構成の作用について説明する。
まず、自動取引装置の顧客操作表示部に広告画面を表示する処理を図８の実施例における広告表示処理を示すフローチャートの図中Ｓで表すステップにしたがって図１を参照しながら説明する。
【００３５】
Ｓ１：自動取引装置２は、顧客の操作により挿入されたカードからカードの記録されたカード情報として口座情報を読み取る。
Ｓ２：口座情報を読み取った自動取引装置２は、読取った口座情報とともに、当該顧客に提供する広告画面を要求する情報をＷｅｂサーバ３に送信する。
【００３６】
Ｓ３：口座情報とともに当該顧客に提供する広告画面を要求する情報を受信したＷｅｂサーバ３は、受信した口座情報としての口座番号に基づいて図７に示す広告実施情報５５の口座番号５５３を検索する指示をＤＢサーバ５へ送信する。
Ｓ４：ＤＢサーバ５は、当該口座番号に基づいて図７に示す広告実施情報５５の口座番号５５３を検索する。
【００３７】
Ｓ５：ＤＢサーバ５は、当該口座番号と一致する口座番号が広告実施情報５５に存在するか否かを判定し、存在しないと判定すると処理をＳ６へ移行し、存在すると判定すると処理をＳ９へ移行する。
Ｓ６：当該口座番号と一致する口座番号が広告実施情報５５に存在しないと判定したＤＢサーバ５は、当該口座番号が広告実施情報５５に存在しない旨、すなわち当該顧客に提供する広告画面が存在しない旨を示す「該当なし」の情報をＷｅｂサーバ３へ返送する。
【００３８】
Ｓ７：ＤＢサーバ５から「該当なし」の情報を受信したＷｅｂサーバ３は、当該顧客に提供する広告画面が存在しない旨を示す「該当なし」の情報を自動取引装置２へ返送する。
Ｓ８：Ｗｅｂサーバ３から当該顧客に提供する広告画面が存在しない旨を示す「該当なし」の情報を受信した自動取引装置２は、顧客操作表示部に広告画面を表示することなく通常の取引画面を表示する。
【００３９】
Ｓ９：一方、Ｓ５において、当該口座番号と一致する口座番号が広告実施情報５５に存在すると判定したＤＢサーバ５は、当該口座番号に関連付けられて広告実施情報５５に記憶された広告ＩＤ５５１を抽出し、抽出した広告ＩＤに基づいてさらに広告情報５１を検索して図３に示すファイル種別５１２、レイアウト種別５１３およびファイルパス５１４等を抽出し、それらを広告実施情報としてＷｅｂサーバ３へ返送する。
Ｓ１０：Ｗｅｂサーバ３は、受信した広告実施情報に基づいて当該顧客に提供するコンテンツとしての広告画面を作成し、その広告画面の所在を示すＵＲＬ（Ｕｎｉｆｏｒｍ  Ｒｅｓｏｕｒｃｅ  Ｌｏｃａｔｏｒ）を自動取引装置２へ返送する。
【００４０】
Ｓ１１：自動取引装置２は、受信したＵＲＬに基づいてＷｅｂサーバ３にアクセスし、当該顧客へ提供する広告等で構成された広告画面を顧客操作表示部に表示する。
このようにして広告画面表示システムは、自動取引装置の顧客操作表示部に広告画面を表示する処理を行う。
【００４１】
次に、広告実施情報の作成処理を図９の実施例における広告実施情報作成処理を示すフローチャートの図中Ｓで表すステップにしたがって図１を参照しながら説明する。
Ｓ２１：登録用端末４は、オペレータの操作により入力された、広告を提供する対象としての顧客ＩＤ、当該顧客に提供する広告を示す広告ＩＤ、および当該顧客に広告を提供するか否かを判定するための広告表示対象者条件等からなる広告登録情報をＷｅｂサーバ３へ送信する。
【００４２】
Ｓ２２：Ｗｅｂサーバ３は、受信した広告登録情報をデータベースに登録するためＤＢサーバ５へ送信する。
Ｓ２３：ＤＢサーバ５は、受信した広告登録情報の広告ＩＤおよび顧客ＩＤを図５に示す対象顧客情報５３の広告ＩＤ５３１および顧客ＩＤ５３２に記憶させ、また受信した広告表示対象者条件を広告表示対象者条件情報５６に記憶させて登録する。
【００４３】
Ｓ２４：Ｗｅｂサーバ３は、予め記憶手段に記憶された所定の時刻に実行する夜間バッチ処理等により、ＤＢサーバ５に広告実施情報５５を更新する指示を送信する。
Ｓ２５：広告実施情報５５を更新する指示を受信したＤＢサーバ５は、広告表示対象者条件情報５６に記憶されている広告表示対象者条件を満たす口座番号および顧客ＩＤ（図６に示す口座番号５４３および顧客ＩＤ５４２）を広告表示履歴情報５４から抽出する。
【００４４】
ここで、広告表示対象者条件は、例えば「広告表示日時が３ヶ月以内」、すなわち現時点から３ヶ月以内に自動取引装置２で広告を表示した顧客および口座、「同一口座で広告表示回数が多い口座上位１００口座」等である。
Ｓ２６：ＤＢサーバ５は、抽出した顧客ＩＤに基づいて対象顧客情報５３の顧客ＩＤを検索し、合致する顧客ＩＤを抽出する。
【００４５】
Ｓ２７：ＤＢサーバ５は、Ｓ１６において抽出した顧客ＩＤに基づいて対象顧客情報５３から広告ＩＤを抽出し、またその顧客ＩＤに基づいて顧客情報５２の顧客ＩＤを検索して合致する顧客ＩＤの口座番号、氏名、住所等を抽出し、図７に示す広告ＩＤ５５１、顧客ＩＤ５５２、口座番号５５３、氏名５５４、および住所５５５等からなる広告実施情報５５を作成、更新する。
【００４６】
ここで、広告表示対象者条件を満たす広告表示履歴情報５４に記憶された口座番号および顧客ＩＤに対しては広告実施情報５５が作成、更新されるが、広告表示対象者条件を満たさない広告表示履歴情報５４に記憶された口座番号および顧客ＩＤに対しては広告実施情報５５が作成、更新されることはない。
【００４７】
これにより、自動取引装置２の表示される可能性が高い顧客に対する広告実施情報５５の作成、更新を行い、自動取引装置２の表示される可能性が低い顧客に対する広告実施情報５５の作成、更新を行うことを抑制する。
このようにして広告画面表示システム１は、広告実施情報５５の作成処理を行う。
【００４８】
なお、本実施例において、広告表示対象者条件は、例えば「広告表示日時が３ヶ月以内」、「同一口座で広告表示回数が多い口座上位１００口座」等として説明したが、これらに限られることなく、広告表示履歴情報５４に基づいて顧客に広告を提供するか否かを判定するための条件であれば、「広告表示日時が１月から３月」等の条件であっても良い。
【００４９】
このように広告画面表示システム１は、広告実施情報５５を作成する際に、広告を提供する顧客ＩＤを過去の広告表示履歴情報５４から広告表示対象者条件を満たす顧客ＩＤに絞り込むことにより、自動取引装置２の表示される可能性が低い顧客に対する広告実施情報５５の作成を抑制することができ、ＤＢサーバ５の記憶部の使用容量を削減して記憶部を効率よく使用することができ、また広告画面の作成処理の負荷を軽減させることができる。
【００５０】
以上説明したように、本実施例では、広告実施情報を作成する際に、広告を提供する顧客ＩＤを過去の広告表示履歴情報から広告表示対象者条件を満たす顧客ＩＤに絞り込むことにより、記憶部を効率よく使用するとともに、広告画面の作成処理の負荷を軽減させることができるという効果が得られる。
なお、本実施例では、ＷｅｂサーバとＤＢサーバとを別個の装置として説明したが、これに限られることなく、ＷｅｂサーバとＤＢサーバとを１つのサーバ（装置）で構成するようにしても良い。
【符号の説明】
【００５１】
１    広告画面表示システム
２    自動取引装置
３    Ｗｅｂサーバ
４    登録用端末
５    ＤＢサーバ
６    通信回線
２１  顧客操作表示部
２２  カード部
２３  入出金部
２４  記憶部
２５  制御部
５１  広告情報
５２  顧客情報
５３  対象顧客情報
５４  広告表示履歴情報
５５  広告実施情報
５６  広告表示対象者条件情報
【図１】
2013114423.tif 000003
【図２】
2013114423.tif 000004
【図３】
2013114423.tif 000005
【図４】
2013114423.tif 000006
【図５】
2013114423.tif 000007
【図６】
2013114423.tif 000008
【図７】
2013114423.tif 000009
【図８】
2013114423.tif 000010
【図９】
2013114423.tif 000011